(57)【要約】  設定投与量のサイズを表示するための表示部を備える筐体（１０）を含む注射装置が開示される。表示部は、水平方向および垂直方向に延在する複数のセグメント（１３、１４）を各々が含む、いくつかの個々のアラビア数字（１１、４０）から形成されている。注射装置の末端において、注入される投与量のサイズをユーザが設定できるようにするための投与量設定要素（２０）が設けられている。更に表示機構は、垂直セグメント（１４）を表示するための第一パターン（３５）および水平セグメント（１３）を表示するための第二パターン（２５）を含む。パターン（２５、３５）は、投与量設定ボタン（２０）に関連づけられており、投与量設定ボタン（２０）が操作されたときに移動するように配置されている。開示される注射装置は、いずれの投与量設定のサイズもユーザに示すことができるようにするため、互いに結合されたアラビア数字（１１、４０）をいくつでも有することができる。【選択図】図２
2014514045.tif 000002
【特許請求の範囲】
【請求項１】
設定投与量のサイズを示す表示部を有する筐体（１０）であって、前記表示部は各々が複数のセグメント（１３、１４）を含むいくつかのアラビア数字（１１、４０）によって形成されており、セグメントのいくつかは主に水平方向に延在し、セグメントのいくつかは主に垂直方向に延在している、筐体と、
注入される前記投与量のサイズをユーザが設定できるようにする投与量設定要素（２０）と、
前記垂直セグメント（１４）に関連づけられた第一パターン（３５）と、
前記水平セグメント（１３）に関連づけられた第二パターン（２５）と、を含み、
前記第一パターン（３５）および前記第二パターン（２５）は、投与量設定ボタン（２０）と機能的に関連づけられており、前記投与量設定ボタン（２０）が操作されたときに移動するように配置されている、注射装置。
【請求項２】
投与量設定部材（２０）は前記筐体（１０）の内面上に設けられた第二軌道（１６）内を案内される、請求項１に記載の注射装置。
【請求項３】
前記第二軌道（１６）は前記筐体（１０）の内面の周りで周方向に延在する円形軌道である、請求項２に記載の注射装置。
【請求項４】
前記第二パターン（２５）は前記投与量設定ボタン（２０）と結合されている、請求項１、２、または３のいずれか一項に記載の注射装置。
【請求項５】
案内スリーブ（３０）は、前記投与量設定部材（２０）とともに前記案内スリーブ（３０）が回転するように前記投与量設定部材（２０）と回転可能に結合されており、この案内スリーブ（３０）は前記筐体（１０）の内面上に設けられた第一軌道（１５）内を軸方向に案内される、請求項１〜４のいずれか一項に記載の注射装置。
【請求項６】
前記第一軌道（１５）は、前記筐体（１０）の前記内面の周りで周方向に延在するカム状軌道である、請求項５に記載の注射装置。
【請求項７】
前記第一パターン（３５）は前記案内スリーブ（３０）に結合されている、請求項５または６に記載の注射装置。
【請求項８】
前記アラビア数字（１１）は、前記注射装置の縦軸（Ｘ）と平行に延在するように揃えられている、請求項１〜７のいずれか一項に記載の注射装置。
【請求項９】
前記第一アラビア数字（１１）を更なるアラビア数字（４０）に結合させる結合機構が設けられている、請求項１〜８のいずれか一項に記載の注射装置。
【請求項１０】
前記結合機構は、前記投与量設定部材（２０）の回転運動の結果として軸方向運動を行う追加案内部材（５０）を含む、請求項９に記載の注射装置。
【請求項１１】
前記追加案内部材（５０）は、前記追加案内部材（５０）の軸方向運動を制御するために前記筐体（１０）の内面上に周方向に設けられた特定のカム（５５、５６）をたどる軌道（４１、４２）内を案内される、請求項１０に記載の注射装置。
【請求項１２】
前記追加案内部材（５０）は、前記第二アラビア数字（４０）を制御する中間部材（６０）を駆動するために係止機構（４３）を解放する、請求項１０または１１に記載の注射装置。
【請求項１３】
表示部は各々が複数のセグメント（１３、１４）を含むいくつかのアラビア数字（１１、４０）によって形成されており、このセグメント（１３、１４）のいくつかは主に水平方向に延在し、このセグメント（１３、１４）のいくつかは主に垂直方向に延在している、注射装置用の表示機構であって、
注入される投与量のサイズをユーザが設定できるようにする回転可能投与量設定要素（２０）と、
前記垂直セグメント（１４）を表示可能なバーの第一パターン（３５）と、
前記水平セグメント（１３）を表示可能なバーの第二パターン（２５）と、を含み、
前記第一または第二パターン（２５、３５）のうちの１つは前記回転可能投与量設定要素に結合され、前記第一または第二パターン（２５、３５）のうちの他方は前記回転可能投与量設定ボタン（２０）の回転によって回転する案内スリーブ（３０）に結合されており、前記案内スリーブ（３０）は回転したときに軸方向に移動するように軌道（１５）によって更に案内される、表示機構。
【請求項１４】
前記投与量設定要素（２０）および前記案内部材（３０）は、筐体内に回転可能に実装された中空管状要素として形成されている、請求項１３に記載の表示機構。
【請求項１５】
前記回転可能投与量設定部材（２０）は、前記管状案内部材（３０）の内部に向かって延在し、２つの前記要素（２０、３０）が一緒に回転するように前記案内部材（３０）に結合されている、請求項１４に記載の表示部材。
【発明の詳細な説明】
【技術分野】
【０００１】
本発明は、大型表示部を備える注射装置に関し、特に大きいアラビア数字で投与量設定サイズを表示する能力を備える注射装置に関する。
【背景技術】
【０００２】
多くの公知の注射装置および特にペン型注射装置は、ユーザによって設定された投与量を表示するアラビア数字のために限られたスペースしかない。
【０００３】
米国特許第６，２３５，００４号明細書は、投与量が設定されるときに筐体の窓を通過する目盛りドラム上にアラビア数字が印刷されている、ペン型注射を開示している。これ自体、目盛りドラム上でアラビア数字に利用可能な空間が限られている。
【０００４】
このような構造は、患者が例えば、糖尿病性合併症を患う人々にとって珍しくない視力低下の状態にある場合に、ユーザがアラビア数字を正しく識別することを困難にする。
【０００５】
価格表示器などの機械的標識では、デジタル電子表示で見られるように複数のセグメントから各アラビア数字を設計することが知られている。これらのアラビア数字は多くの場合、例えば欧州特許第７５８，１２２号明細書に開示されるように、４つの垂直セグメントおよび３つの水平セグメントから形成される。関連性のあるセグメントのバーを表示することによって、０から９のアラビア数字が表示可能である。
【０００６】
類似の機械的デジタル表示は、米国特許第３，６８３，５２３号明細書に開示されている。ここではセグメントは前板に彫り込まれている。セグメントを形成するパターンは、前板の後で同時に移動する２つの板の上に設けられている。水平バーは垂直方向に移動する板の上に設けられ、垂直バーは水平方向に移動する別の板の上に設けられている。更なる機械的デジタル表示は、実用新案第５１−１０２５９９号明細書に開示されている。
【先行技術文献】
【特許文献】
【０００７】
【特許文献１】米国特許第６，２３５，００４号明細書
【特許文献２】欧州特許第７５８，１２２号明細書
【特許文献３】米国特許第３，６８３，５２３号明細書
【特許文献４】実用新案第５１−１０２５９９号明細書
【発明の概要】
【発明が解決しようとする課題】
【０００８】
本発明の目的は、視認性を向上させるために設定投与量を示す個々のアラビア数字のサイズが拡大可能な注射装置を提供することである。更なる目的は、機械的ペン型注射装置への実装に適した大型のアラビア数字を提供することである。
【課題を解決するための手段】
【０００９】
本発明は、請求項１において定義される。
【００１０】
したがって、注射装置は、インスリンなどのような液剤が、注射装置に収容されたカートリッジから針アセンブリの針カニューレを通じて患者の体内に注入されるタイプである。
【００１１】
ユーザによって設定された投与量のサイズを視覚的に調べるために、いくつかの個々のアラビア数字を含む表示部が、注射装置の筐体内に設けられる。
【００１２】
アラビア数字の各々は、注射装置の筐体に彫り込まれた、または別途の方法で設けられた、複数のセグメントによって形成される。通常は、デジタルアラビア数字を形成するために、３つのセグメントが水平方向に延在し、４つのセグメントが垂直方向に延在する。しかしながら、その他の数のセグメントも可能である。いくつかの彩色バーを有する２つの異なるパターンが提供される。これらのバーは、「０」から「９」のアラビア数字を形成するためにセグメントを遮断する。第一パターンは垂直セグメントを遮断するように配置され、第二パターンは水平セグメントを遮断するように配置される。しかしながら、その他のパターンの組み合わせも可能である。第一および第二パターンは、ユーザが注射ボタンを操作するときに移動するように配置される。これらのパターンは好ましくは互いに対して直交する方向に移動し、１つのパターンは水平方向に移動して、他方のパターンは垂直方向に移動する。これらが一緒になって、２つのパターンの彩色バーは、投与量サイズの増分設定を示すために番号順にセグメントを遮断する。
【００１３】
投与量設定ボタンは通常、投与量設定中に回転するので、投与量設定ボタンに関連づけられた第一パターンおよび第二パターンもまた投与量設定中に回転する。
【００１４】
投与量設定要素は、筐体の内周面に設けられた溝の中を案内される。溝または軌道は、投与量設定中に注射ボタンが注射装置からはずれて軸方向に移動しないように、好ましくは円形である。このような実施形態は、注射ボタンの回転が、注入を実行するために使用される力を後に伝達するバネを締め付ける自動注射装置に、特に適している。
【００１５】
水平セグメントを遮断するパターンは、注射ボタンが回転する際に彩色バーが水平セグメントを通過するように、注射ボタンに取り付けられている。彩色バーは好ましくは、適切なポリマーから作られた薄い透明シートの上に印刷されている。
【００１６】
更に、投与量設定要素とともに回転するが、その回転中に軸方向に移動するように筐体内を軸方向に案内される、案内スリーブが設けられる。案内スリーブの軸方向運動は好ましくは、筐体の周方向内面に設けられたカム状軌道によって制御される。
【００１７】
垂直セグメントを遮断するパターンは、投与量設定要素が回転するときにこの第一パターンが垂直セグメントに対して軸方向に移動するように、案内部材に結合されている。
【００１８】
アラビア数字はペン型注射装置の縦伸長に対して直角に配置されることが可能であり、またはアラビア数字は縦伸長と平行に揃えられた方向に配置されることが可能である。アラビア数字が縦方向に揃えられているとき、注射装置は右利きおよび左利きの人にとって等しく適している。
【００１９】
本発明は、いくつのアラビア数字を示すのにも適している。アラビア数字は、右から左端のアラビア数字まで、アラビア数字の１０増分位置ごとに左端のアラビア数字を１増分位置だけ操作する結合機構によって、互いに結合されている。最後のアラビア数字が「９」から「０」に変わるとき、その左のアラビア数字は位置が１つ変わる。
【００２０】
結合機構は、投与量設定要素の回転運動の結果として軸方向運動を実行する、追加案内部材を含む。追加案内部材は、筐体の内面に設けられたカム軌道内を案内され、そのカム形状は左側のアラビア数字が変わるたびに追加案内部材を軸方向に移動させる。次のアラビア数字を制御するパターンを回転させるために、追加案内部材が軸方向に移動して回転するときに回転する中間部材が、設けられる。
【００２１】
更なる実施形態において、本発明は注射装置用の表示機構に関し、この表示機構は、各々が複数のセグメントを含むいくつかのアラビア数字によって形成されており、デジタル数字と同様に、このセグメントのいくつかは主に水平方向に延在しており、このセグメントのいくつかは主に垂直方向に延在している。
【００２２】
回転によって注入される投与量のサイズをユーザが設定できるようにする回転可能投与量設定要素が、更に提供される。回転可能投与量設定要素は好ましくは、投与量設定要素が回転中に軸方向に移動しないように、円形軌道内を案内される。
【００２３】
垂直セグメント（またはバー）は第一パターンを形成し、水平セグメント（またはバー）は第二パターンを形成する。これらのパターンは、好ましくは「デジタル」アラビア数字を形成するために筐体内に設けられるセグメントと接触したり離れたりしながら、互いに対して移動することが可能である。セグメントは好ましくは、注射装置を形成する筐体の切り抜きとして形成され、水平および垂直セグメント、バー、またはバンドを形成するパターンは、切り抜きセグメントの下または後を移動する。記入および未記入水平および垂直セグメントの組み合わせは、「デジタル」アラビア数字の画像を生成する。
【００２４】
管状注射装置において、第一または第二パターンのうちの１つは好ましくは回転可能投与量設定ボタンに結合され、第一または第二パターンのうちの他方は注射装置の内部に設けられた案内スリーブに結合されている。
【００２５】
案内スリーブは、一緒に回転するように、投与量設定部材と回転可能に結合されている。加えて、案内スリーブは、注射装置の筐体の内部軌道の中を案内される。
【００２６】
この案内軌道は好ましくは、第一パターンの垂直セグメントを好ましくは筐体内に形成された垂直セグメントと接触させたり離したりするために、案内スリーブが回転時に軸方向に振動するように、形成される。
【００２７】
更に、投与量設定要素および案内部材は、回転可能投与量設定部材が中空の管状案内部材の内部に延在し、２つの要素が一緒に回転するように案内部材に結合されている、筐体内に回転可能に実装された、中空管状要素として、または少なくとも管状要素として、形成される。回転可能投与量設定部材と回転可能案内スリーブとの間の回転可能な係合は、例えばピンと溝との接続であってもよい。しかしながら、その他の接続も使用可能である。
【００２８】
定義
「注射ペン」は一般的に、筆記用の万年筆とある程度類似の楕円形または長尺形状を有する注射装置である。通常このようなペンは管状の断面を有するものの、これらは三角形、長方形、または正方形、あるいはこれらの幾何形状に類したいずれかの変形など、異なる断面を容易に有することができる。
【００２９】
本明細書で使用される際に、「薬剤」という用語は、液体、溶液、ゲル、または微細懸濁液など、制御されたやり方で中空針などの送達手段の中を通過することが可能な、いずれの薬剤含有流動性薬品も包含するように意図される。代表的な薬剤は、ペプチド、タンパク質（例えばインスリン、インスリン類似体、およびＣペプチド）、およびホルモンなどの医薬品、生物由来または活性剤、ホルモンまたは遺伝子系の薬剤、栄養剤、ならびに固体（調剤済み）または液体の両方の形状のその他の物質を含む。
【００３０】
同様に、「皮下」注射という用語は、被験者への皮下送達のいかなる方法も包含するように意図される。
【００３１】
更に「注射針」という用語は、液体を送達または除去する目的のために被験者の皮膚を貫通するようになっている、穿通部材を定義する。
【００３２】
「針カニューレ」という用語は、注射の最中に皮膚の貫通を実行する実際の導管を記述するために、使用される。針カニューレは、通常は金属材料で作られており、注射針を形成するためにハブに接続されている。しかしながら針カニューレは、ポリマー材料またはガラス材料で作られることも可能である。注射針を注射装置に接続する接続手段を担持するハブは、通常は適切な熱可塑性材料で成形される。
【００３３】
「カートリッジ」とは、薬剤を収容する容器を記述するために使用される用語である。カートリッジは、通常はガラスで作られるが、しかしいずれか適切なポリマーで成形されることも可能である。カートリッジまたはアンプルは好ましくは、例えば注射針によって穿通されることが可能な穿通可能膜によって、一端が封止されている。反対の末端は、ゴムまたは適切なポリマーで作られたプランジャまたはピストンによって閉鎖されている。プランジャまたはピストンは、カートリッジの内部を摺動的に移動することが可能である。穿通可能膜と可動プランジャとの間の空間は、薬剤を保持する空間の容積をプランジャが減少させる際に押し出される、薬剤を保持する。
【００３４】
本明細書において引用される、刊行物、特許出願、および特許を含むすべての参考文献は、参照によりその全体が本願に組み込まれ、そして各参考文献が参照により本願に組み込まれるように個別に具体的に記載されてその全体が本願に明示されるのと同程度に、本願に組み込まれる。
【００３５】
すべての見出しおよび小見出しは、本明細書において便宜上使用されるが、本発明をいかようにも限定するように構成されるべきではない。
【００３６】
本明細書において提供されるあらゆる例、または例示的な言語（例えば「など」）の使用は、本発明をよりわかりやすくすることのみを意図しており、別途指定されない限り本発明の範囲を限定するように解釈されるべきではない。明細書に含まれるいずれの言語も、本発明の実現に必要不可欠ないずれの非請求要素を示すようにも解釈されるべきではない。本明細書における特許文献の引用および組み込みは、便宜上行われるだけであり、このような特許文献の有効性、特許性、および／または執行可能性の観点を反映するものではない。
【００３７】
本発明は、適用法令によって認められるように、本明細書に添付される特許請求の範囲に列挙される対象物の、すべての変形例および均等物を含む。
【００３８】
本発明は、好適な実施形態に関連づけて、および以下の図面を参照して、後により詳細に説明される。
【図面の簡単な説明】
【００３９】
【図１】アラビア数字の形成の原理を示す図である。
【図２】１つのアラビア数字を有する注射装置の分解図である。
【図３Ａ】図２のアラビア数字を形成するために使用されるパターンを示す図である。
【図３Ｂ】図２の注射装置のカム軌道のレイアウトである。
【図３Ｃ】図２のアラビア数字を形成するために使用されるパターンを示す図である。
【図４】図２の注射装置の異なる例を示す図である。
【図５】図２の注射装置の別の例を示す図である。
【図６Ａ】いくつかのアラビア数字を有する注射装置を示す図である。
【図６Ｂ】図６Ａの注射装置のカム軌道のレイアウトである。
【発明を実施するための形態】
【００４０】
図面は模式的であって明確さのために簡素化されており、これらは本発明の理解に必要不可欠な詳細のみを示しており、その他の詳細は省略されている。全体を通じて、同じ参照番号は同じかまたは対応する部品に使用される。
【００４１】
以下において「上部」および「下部」、「右」および「左」、「水平」および「垂直」、「時計回り」および「反時計回り」、または類似の相対表現が使用されるとき、これらは単に添付図面を指すものであり、実際の使用状況を指すものではない。示される図面は、異なる構造の構成およびその相対寸法が図解目的のみに役立つよう意図されている、模式図である。
【００４２】
この文脈において、添付図面における「遠位末端」という用語は注射針を担持する注射装置の末端を指すように意図され、その一方で「近位末端」という用語は注射針の反対方向を向いている反対側の末端を指すように意図されると定義することが、好都合であろう。
【００４３】
図１は、個々のアラビア数字を形成する原理を開示している。前板１には、７つのセグメント２が彫り込まれている。あるいはセグメント２は、前板１の透明領域として設けられることも可能である。７つのセグメント２のうち３つの水平セグメント３は水平方向に延在し、７つのセグメント２のうちの他の４つの垂直セグメント４は垂直方向に延在する。特定の垂直パターンを担持する第一バンド５は垂直セグメント４を超えて水平方向に移動し、特定の水平パターンを担持する第二バンド６は水平セグメント３を超えて垂直方向に移動する。パターンは、白色または不透明領域８によって分割された複数の彩色バー７で作られている。図１において、バンド５、６は、垂直セグメント４の右端の２つと水平セグメント３の３つすべてが彩色バー７によって遮断され、それによってアラビア数字「３」を形成する、相対位置にある。
【００４４】
２つのバンド（５、６）の移動とこれによってバンド上に印字されるパターンとの組み合わせが、「０」から「９」までのアラビア数字を作り出す。
【００４５】
図２は、ペン型注射装置の縦軸Ｘに対して直角に延在する１つのアラビア数字１１が設けられた、ペン型注射装置の投与量設定機構を開示している。筐体１０には、７つの彫り込みセグメント１２によって形成されたアラビア数字１１が設けられている。７つのセグメント１２は、３つの水平セグメント１３および４つの垂直セグメント１４で構成されている。筐体１０の内面には、２つの異なる軌道１５、１６が設けられている。第一軌道１５は、特定のカムパターン１７（図３Ｂ参照）を形成して、筐体１０の内周上に延在する。第二軌道１６は、筐体１０の内周の周りで円形に延在する。
【００４６】
筐体１０の近位末端には、投与量設定部材２０が設けられている。この投与量設定部材２０は、投与量を設定するときにユーザによって把持されることが可能な、指状部２１を有している。更にこれは、投与量設定部材２０が筐体１０に対して回転可能であるが、筐体１０に対して軸方向移動はしないように、筐体１０の第二軌道１６と係合する突起２２を有している。投与量設定部材２０には、注射ボタン２０が回転したときに水平パターン２５が水平セグメント１３を通過して、それによりアラビア数字１１の水平部分を形成するように、水平パターン２５を担持する外面２３も設けられている。図３Ｃに開示されている水平パターン２５は、注射ボタン２０の外面２３に固定された不透明なポリマー製の第二フィルム２６に印刷されることが可能である。水平パターン２５を担持する第二フィルム２６は、注射ボタン２０とともに回転する限り、外面２３を超えて延在することができる。
【００４７】
更に投与量設定部材２０には、案内スリーブ３０の内面３２上の類似の軌道３２と係合する、いくつかの軸方向隆起バー２４が設けられている。隆起バー２４および軌道３１の位置は重要ではなく、重要なのは、投与量設定部材２０および案内スリーブ３０が共に回転するが、しかし互いに対して軸方向に移動できることである。
【００４８】
案内スリーブ３０には、筐体１０の第一軌道１５内を案内されるカム突起３３が、更に設けられている。案内スリーブ３０は、投与量設定部材２０が隆起バー２４と軌道３１との間の係合によって回転するときに、強制的に回転させられ、同時に案内スリーブ３０は強制的に第一軌道１５のカムパターン１７をたどることになる。案内スリーブ３０には、案内スリーブ３０の軸方向運動がアラビア数字１１の垂直部分１４を提供するように、垂直パターン３５を担持する外面３４が設けられている（図３Ａ参照）。垂直パターン３５は好ましくは、カム突起３３が第一軌道１５のカムパターン１７に関連して移動する際に垂直パターン３５が軸方向に移動するように、案内スリーブ３０の外面３４に結合された不透明なポリマー製の第一フィルム３６に印刷されている。
【００４９】
図３Ａから図３Ｃは、図２の実施形態に関連して使用される、異なるパターンを開示している。図３Ａは、垂直セグメント１４を通じて視認可能な第一パターン３５を開示している。第一パターン３５は、薄い不透明なポリマー製第一フィルム３６に印刷され、案内スリーブ３０に取り付けられている。案内スリーブ３０が図３Ｂに開示されるようなカムパターン１７内を案内されると、第一パターン３５を形成している彩色バー３７は、垂直セグメント１４に出入りしながら軸方向に移動する。
【００５０】
同時に、投与量設定部材２０が回転し、これにより第二パターン２５の彩色バー２７が水平セグメント１３に出入りする。第二パターン２５は、図３Ｃに開示されており、投与量設定部材２０に取り付けられた不透明な第二フィルム２６上にも印刷されている。フィルム２６、３６の不透明性のため、例えば第一フィルム３６を通じて第二フィルム２６の彩色バー２７を視認すること（およびその逆）が可能である。
【００５１】
図４は、２つの垂直セグメント１９のみから作られている第二アラビア数字１８が追加された実施形態を開示している。このアラビア数字１８は、「１」のみを示すか、または何も示さない。追加列がセグメント１９に出入りしながら軸方向に移動する第一フィルム３６に非開示の彩色バーの追加列を加えることによって、注射装置が「０」から「「１９」のアラビア数字を表示できるように、この第二アラビア数字１８が制御されることが可能である。
【００５２】
図５は、アラビア数字１１がペン型注射装置の筐体１０の縦軸Ｘと平行に配置された実施形態を開示している。図５に開示されたアラビア数字１１は、４つの水平セグメント１３および３つの垂直セグメント１４を有している。不透明フィルム２６、３６のパターン２５、３５は、これに適合するように変更されなければならない。
【００５３】
アラビア数字が筐体の縦軸Ｘと平行に配置されている場合、左利きの人がアラビア数字を読みやすくなる。注射ペンは一般的に右利きの人向けに設計されているが、しかし米国特許出願第２００９／０２６４８２８号公報は、左利きユーザに特化した注射ペンを作るために、通常の目盛りドラム上のアラビア数字を反転させることを提案している。しかしながら、ここで提案されたようにアラビア数字を配置することにより、同じ注射ペンが左利きおよび右利きの人に等しく適するようになる。筐体と平行にアラビア数字を配置するという概念は、米国特許第６，２３５，００４号明細書および米国特許出願第２００９／０２６４８２８号公報に開示されたもののような、目盛りドラムを有する注射ペンにおいても実現可能である。
【００５４】
図６は、いくつのアラビア数字でも表示され得る実施形態を開示している。図２に開示されるように、案内部材３０は第一軌道１５内を案内され、投与量設定部材２０と回転可能に結合されている。投与量設定部材２０は第二軌道１６内を案内される。投与量設定部材２０および案内部材３０はパターンを押し進めて、らせんを描いて第一アラビア数字１１の垂直バーを作る。これに加えて、本明細書で説明されるように更なるアラビア数字４０が提供され、こうして最大で「９９」までのアラビア数字を表示できるようにする。
【００５５】
第二案内部材５０もまた、投与量設定部材２０の隆起バー２４と係合するいくつかの軌道５１を有することによって、投与量設定部材２０と結合する。このようにして、第二案内部材５０は投与量設定部材２０とともに回転するが、しかし投与量設定部材２０に対して軸方向に移動することができる。第二案内部材５０には、筐体２０の内面に設けられた軌道４１、４２の中を案内される２つの突起５２、５３が設けられている。
【００５６】
軌道４１、４２は、第二案内部材５０が投与量設定部材２０の１０増分位置ごとに１回ずつ軸方向に移動するようなカム形状５５、５６（図６Ｂ参照）を有しており、すなわちアラビア数字「９」が表示されて第一アラビア数字１１が０表示に戻るたびに第二案内部材５０が軸方向に移動することを意味する。
【００５７】
第二案内部材５０はその遠位末端に、第二案内部材５０が軸方向に移動するたびに中間部材６０上に設けられた対応する１組の近位指示歯６１と係合する、いくつかのＶ字型歯５４が設けられている。第二案内部材５０が軸方向に移動してその軸方向位置で回転すると、これは中間部材６０も一緒に移動させるが、しかしカム形状５５、５６が示すように、中間部材６０は第二案内部材５０の１０増分位置ごとに１回しか回転しない。
【００５８】
中間部材６０には、筐体内に設けられた円形の周方向軌道４４を案内される突起６３が更に設けられており、中間部材６０の運動を回転運動のみに制限する。
【００５９】
更に、中間部材６０の近位指示歯６１は、筐体１０の内面に設けられた係止部材４３によって係止されている。この係止要素４３はＶ字型であり、中間部材６０の近位指示歯６１を係合させて、中間部材６０が回転するのを防止する。第二案内部材５０が軸方向に移動すると、これは係止要素４３を解放し、それによって中間部材６０を、案内部材５０が軸方向移動してその初期位置に戻り、それにより係止要素４３が近位指示歯６１と再び係合するまで、第二案内部材５０とともに自由に回転するように設定する。
【００６０】
中間部材６０には、第三被案内部材７０が中間部材６０と共に回転するが、中間部材６０に対して軸方向に移動できるように、この第三案内部材７０に設けられた縦軌道７１と係合する隆起バー６４が設けられている。
【００６１】
第三案内部材７０には、筐体内の軌道４５を案内される突起７２が更に設けられており、この軌道４５は、回転したときに第三案内部材７０が軸方向に移動するように、カム形状になっている。
【００６２】
中間部材６０は、第二アラビア数字４０の水平セグメントを制御するパターンが取り付けられた外面６５を有しており、第三案内部材７０は、第二アラビア数字４０の垂直セグメントを制御する別のパターンが取り付けられた外面７３を有している。
【００６３】
例えば第一アラビア数字１１および第二アラビア数字４０が互いに接近できるようにするためなど、必要であれば、異なる軌道４１、４２、４４、４５は別の位置に設けられることが可能である。先に説明されたように、２つの垂直セグメントを何も表示しない状態と「１」を表示する状態との間で変化させるためなど、更に２つの垂直セグメントが追加されて、第三案内部材７０に設けられた彩色バーの追加列によって制御されることも可能である。このようにして、最大「１９９」までのアラビア数字が表示可能である。
【００６４】
図示されない第三アラビア数字のための更なる機構を制御するために、縦軌道８１を有する第四案内部材８０が中間部材６０に更に接続されることが可能である。この第四案内部材８０には、筐体１０に設けられた２つのカム軌道４６、４７に案内される２つの突起８２、８３が設けられている。第二案内部材５０と同様に、第二アラビア数字４０の１０増分変化ごとに第三アラビア数字が１増分だけ変化するように、第四案内部材８０も中間部材６０の１０増分位置ごとに軸方向に移動する。
【００６５】
いくつかの好適な実施形態が上記に示されてきたが、しかし本発明はこれらに限定されるものではなく、以下の特許請求の範囲において定義される対象物の範囲内で別途実現されてもよいことは、強調されるべきである。
【図１】
2014514045.tif 000003
【図２】
2014514045.tif 000004
【図３Ａ】
2014514045.tif 000005
【図３Ｂ】
2014514045.tif 000006
【図３Ｃ】
2014514045.tif 000007
【図４】
2014514045.tif 000008
【図５】
2014514045.tif 000009
【図６Ａ】
2014514045.tif 000010
【図６Ｂ】
2014514045.tif 000011
【国際調査報告】
2014514045.tif 000012
2014514045.tif 000013
2014514045.tif 000014